(57)【特許請求の範囲】
【請求項１】
発熱体を内装した発熱体ユニット、この発熱体ユニットの表側、裏側に配置された表面材および裏材からなる本体ユニットと、前記発熱体の温度を制御する制御回路基板を内装し、かつ上ケースと下ケースで構成された制御ケースユニットとを有し、前記表面材が下に位置するように本体ユニットを裏返した状態で、発熱体ユニットに隣接させた制御ケースユニットの上ケースを表面材の裏側に貼付固定する第１工程と、仮固定手段を介して仮固定された制御ケースユニットの上、下ケースの前記仮固定を開放するとともに、この下ケースを持ち上げて上ケースから離反させ、同上ケース側に配置された制御回路基板に発熱体を電気的に接続する第２工程と、制御ケースユニットの上、下ケースを仮固定し、同下ケース側から通したビスを上ケースに締め付ける第３工程とからなる面状採暖具の組立方法。
【発明の詳細な説明】
【０００１】
【発明の属する技術分野】
本発明は、電気カーペット等の面状採暖具に関するものである。
【０００２】
【従来の技術】
従来、この種の面状採暖具としては、図５、図６に示されているような構成になっていた。図５、６において１は表面材、４は軟質樹脂材、３は発熱体、２は発熱体３を配設した発熱体基材、５は軟質樹脂材４を平板状に成形して発熱体基材２に配設された発熱体３を埋設固定した発熱体ユニット、６は裏材、７は表面材１と発熱体ユニット５と裏材６から成る本体ユニット、２１は発熱体３の温度を制御する制御回路基板、９は制御回路基板上のスイッチ部品を操作する操作ツマミ、１８は制御回路基板２１、操作ツマミ９を内装した制御ケースユニット、１９は制御ケースユニットを構成する上ケース、２０は下ケース、１３は本体ユニット７を挟みこんだ上ケース１９と下ケース２０を固定するためのビスａである。
【０００３】
本体ユニット７は制御回路基板２１を介して発熱体３に通電されることにより発熱体基材２、表面材１を通じて熱を放射するようになっていた。
【０００４】
【発明が解決しようとする課題】
しかしながら、前記従来の構成では、発熱体３の温度を制御する制御回路基板２１と操作ツマミ９を内装する制御ケースユニット１８の上ケース１９と下ケース２０が表面材１と発熱体ユニット５と裏材６からなる本体ユニット７を挟み込むように配設されており、製品を組み立てる際には下ケース２０に制御回路基板２１と操作ツマミ９を取り付け、次に表面材１と発熱体ユニット５と裏材６からなる本体ユニット７をセットし、次に制御回路基板２１の部品面側（面状発熱体を使用状態に設置したときの上面側）に発熱体３を電気的に接続固定し、上ケース１９を下ケース２０にセットし、ビスａ１３で下面側から固定する構成になっていた。
【０００５】
そのため製品組立時において発熱体３と制御回路基板２１を電気的に接続固定する作業は本体ユニット７の表面材１側が上面になるように設置して行い、その後、本体ユニット７と制御ケースユニット１８を表裏反転してビスａ１３を上側から締めていた。
【０００６】
従って、ビスａ１３を上側から締めるためだけに製品を表裏反転する必要があり、余分な工数と労力を必要とし、さらに反転させる際に表面材１が折れ曲がってしわにならないように注意を払わなければならないという課題を有していた。
【０００７】
また、製品を表裏反転せずにビスａ１３を締めることも可能であるが、そのためには、制御ケースユニット１８が上方に動かないように規制する治具とビスａ１３を下側から締めるための特別なビスセット治具やビス締め機が必要であった。
【０００８】
また、本体ユニット７を制御ケースユニット１８にセットして制御回路基板２１と発熱体３を電気的に接続するときや、上ケース１９と下ケース２０をビスａ１３で固定する時に制御ケースユニット１８が動きやすく作業性が悪いという課題を有していた。
【０００９】
本発明は、前記従来の課題を解決するもので、制御回路基板の取り扱いを容易にし、組立作業性を向上させた面状採暖具の組立方法を提供することを目的とする。
【００１０】
【課題を解決するための手段】
前記従来の課題を解決するために、本発明の面状採暖具の組立方法は、発熱体を内装した発熱体ユニット、この発熱体ユニットの表側、裏側に配置された表面材および裏材からなる本体ユニットと、前記発熱体の温度を制御する制御回路基板を内装し、かつ上ケースと下ケースで構成された制御ケースユニットとを有し、前記表面材が下に位置するように本体ユニットを裏返した状態で、発熱体ユニットに隣接させた制御ケースユニットの上ケースを表面材の裏側に貼付固定する第１工程と、仮固定手段を介して仮固定された制御ケースユニットの上、下ケースの前記仮固定を開放するとともに、この下ケースを持ち上げて上ケースから離反させ、同上ケース側に配置された制御回路基板に発熱体を電気的に接続する第２工程と、制御ケースユニットの上、下ケースを仮固定し、同下ケース側から通したビスを上ケースに締め付ける第３工程とからなるものである。
【００１１】
これによって、製品を裏返した状態で組立を行うことが出来、制御回路基板と発熱体の電気的な接続の作業性がよくなり、さらに制御ケースユニットの上ケースと下ケースをビスで固定する際もそのまま、上側からビスを締めることで特殊な治具を必要とせず途中で製品を表裏反転させる必要もないので作業性が向上する。
【００１２】
【発明の実施の形態】
本発明の面状採暖具の組立方法は、発熱体を内装した発熱体ユニット、この発熱体ユニットの表側、裏側に配置された表面材および裏材からなる本体ユニットと、前記発熱体の温度を制御する制御回路基板を内装し、かつ上ケースと下ケースで構成された制御ケースユニットとを有し、前記表面材が下に位置するように本体ユニットを裏返した状態で、発熱体ユニットに隣接させた制御ケースユニットの上ケースを表面材の裏側に貼付固定する第１工程と、仮固定手段を介して仮固定された制御ケースユニットの上、下ケースの前記仮固定を開放するとともに、この下ケースを持ち上げて上ケースから離反させ、同上ケース側に配置された制御回路基板に発熱体を電気的に接続する第２工程と、制御ケースユニットの上、下ケースを仮固定し、同下ケース側から通したビスを上ケースに締め付ける第３工程とからなるものである。
【００１３】
これによって、製品を裏返した状態で組立を行うことができ、制御回路基板と発熱体の電気的な接続の作業性がよくなり、さらに制御ケースユニットの上ケースと下ケースをビスで固定する際もそのまま、上側からビスを締めるだけでよい。
【００１４】
【実施例】
以下、本発明の実施例について、図面を参照しながら説明する。
【００１５】
（実施例１）
図１は本発明の第１実施例における面状採暖具の制御ケースユニットと本体ユニットの組立構成図を示すものであり、図２は本発明の第１の実施例における面状採暖具の断面図、図３は部分断面斜視図を示すものであり、図４は本実施例における面状採暖具の制御ケースユニットの上ケース、下ケースの嵌合部の構成を示す断面図を示すものである。
【００１６】
図１〜４において、２は発熱体３を配設した発熱体基材で小さな穴（図示せず）を有している。１は塩ビシート等からなる表面材、４は軟質樹脂材、５は発熱体３、発熱体基材２、軟質樹脂材４からなるヒータユニット、６はポリエチレン等の樹脂シートからなる裏材である。
【００１７】
ここで、本体ユニット７は、発熱体基材２を表面材１の裏面に仮止した後、裏材６の上に散布した軟質樹脂材４の上方に配置し、金型で押圧成形し、軟質樹脂材４を発泡させて形成する。
【００１８】
発泡時の発泡圧により発熱体基材２から表面材１側に前述の穴を通して軟質樹脂材４が滲み出して表面材１の裏面にソリッド状に付着し、発熱体ユニット５と表面材１と裏材６が一体的に接着されて本体ユニット７を構成している。
【００１９】
なお、この時、本体ユニット７のコーナー部１７に制御ケースユニット１０を取り付けるための空間を確保すべく軟質樹脂材４がまわり込まないようにしている。
【００２０】
１０は制御ケースユニットで、上ケース１１と下ケース１２、制御回路基板８等から構成されている。
【００２１】
上ケース１１には制御回路基板８の部品面側が上ケース１１の裏面と向き合うようにビスｂ１６で取りつけられ、操作ツマミ９が内装されている。
【００２２】
下ケース１２にはマイカ等でできている遮熱シート１４が内装されており、上ケース１１の爪部１１ａと遮熱シート１４が内装された下ケース１２の貫通孔部１２ａで仮固定されて構成されている。
【００２３】
なお、この制御ケースユニット１０は、本体ユニットに取り付けるまでは単体として取り扱いが出来るようになっている。
【００２４】
次に本体ユニット７と制御ケースユニット１０を接続固定して組立てる製品組立方法について説明する。
【００２５】
まず、本体ユニット７を裏向きの状態として、仮固定された制御ケースユニット１０の上ケース１１の表面に両面テープ１５を貼付け、制御ケースユニット１０を本体ユニット７の軟質樹脂材４がまわりこんでいないコーナー部１７の表面材１の裏面に貼付け固定する。
【００２６】
次に、上ケース１１の爪部１１ａを指で押して下ケース１２を外す。この際、爪部１１ａを指で押しやすいように下ケース１２の貫通孔部１２ａの周囲は下ケース１２の下面と段差を設けている。下ケース１２を外した後、上ケース１１に固定された制御回路基板８の箔面側（面上採暖具を使用状態に設置したときの下面側）に発熱体３を電気的に接続固定する。
【００２７】
次いで、下ケース１２を上ケース１１にセットし、ビスａ１３で締めつけ固定する。
【００２８】
以上のように構成された面状採暖具について、以下にその作用を説明する。
【００２９】
まず、制御ケースユニット１０と本体ユニット７を接続固定する場合、本体ユニット７を最初に裏向きにセットした後、表裏を反転することなく、すべての作業を上側から行なえるので作業性が向上する。
【００３０】
また、制御ケースユニット１０の上ケース１１を表面材１の裏面側に両面テープ１５で固定するので制御ケースユニット１０が本体ユニット７から動くことがなく、制御回路基板８と発熱体ユニット５の発熱体３との電気的な接続固定を行う場合の作業性が向上することとなる。
【００３１】
さらに、制御ケースユニット１０内に制御回路基板８を内装固定した状態で保管或いは搬送ができるので制御基板回路８の取り扱いが楽になる。
【００３２】
また、本体ユニット７の表面材１の裏面に貼り付けられた仮固定された制御ケースユニット１０から下ケース１２をはずす場合も上面側から爪部をはずせるので作業が行いやすい。
【００３３】
【発明の効果】
以上のように、本発明によれば、本体ユニットと制御ケースユニットを一体に組立てる場合に本体ユニットを裏返した状態ですべての組立作業を上側から行えるので、従来のように組立作業の途中で表裏を反転させる必要が無く組立作業効率を向上させることができる。
【図面の簡単な説明】
【図１】  本発明の実施例１における面状採暖具の制御ケースユニットと本体ユニットの組立構成図
【図２】  本発明の実施例１における面状採暖具の部分断面図
【図３】  本発明の実施例１における面状採暖具の部分断面斜視図
【図４】  本発明の実施例１における面状採暖具の制御ケースユニットの勘合部構成断面図
【図５】  従来の面状採暖具の部分断面図
【図６】  従来の面状採暖具の部分断面斜視図
【符号の説明】
１  表面材
３  発熱体
５  発熱体ユニット
８  制御回路基板
１０  制御ケースユニット
１１  上ケース
１１ａ  爪部（勘合部）
１２  下ケース
１２ａ  貫通孔部（勘合部）
【図１】
0004078914.tif 000002
【図２】
0004078914.tif 000003
【図３】
0004078914.tif 000004
【図４】
0004078914.tif 000005
【図５】
0004078914.tif 000006
【図６】
0004078914.tif 000007